Podtech/llm-jp-corpus-v4-ja_patent huggingface dataset:
(57)【要約】      （修正有）【課題】咄嗟のときに便利なメジャー機能を備えたクリアファイルなどの文具を提供する。【解決手段】クリアファイルなどの文具の１乃至４辺の全長にメジャー目盛を付して書類等の挟み入れと保護，記帳のほか、物の長さを簡易に測れるようにし、且つメジャー目盛は表面のデザインを邪魔しないようにすることと、挟み入れ書類によって隠れるようにクリアファイルの背側の中面または裏面に設け、さらにクリアファイルなどの定規付き文具の四隅に小孔を設けて壁面等にフック掛けを可能にするほか、該小孔を軸にクリアファイルなどを回動させて１辺より大きい物の長さの測定を可能にした。【選択図】図５
0003147594.tif 000002
【実用新案登録請求の範囲】
【請求項１】
クリアファイル，ブックカバー，ノートカバー，手帳などの１乃至４辺の全長にメジャー目盛を付して書類等の挟み入れと保護および記帳のほか、物の長さを測れるようにしたことを特徴とする定規付き文具。
【請求項２】
メジャー目盛は表面のデザインを邪魔しないようにすることと、挟み入れ書類によって隠れるようにクリアファイルの背側の中面または裏面に設ける請求項１に記載の定規付き文具。
【請求項３】
メジャー目盛は端縁より少し内側に寄せて付す請求項２に記載の定規付き文具。
【請求項４】
４辺にメジャー目盛を付した文具の四隅に小孔を設けて壁面等にフック掛けを可能にするほか、該小孔を軸に文具を回転させて大きい物の長さを測ることを可能にする請求項１乃至３のいずれかに記載の定規付き文具。
【考案の詳細な説明】
【技術分野】
【０００１】
この考案は定規付き文具に関するものである。
【背景技術】
【０００２】
この種の考案としては実用新案登録第３１３４３５６号公報がある。該公報は定規と分度器付きクリアホルダーとしてクリアファイルの上部に定規の目盛と分度器の目盛を設け、ミシン目より切り離すことができるようにしたことを記載している。
【特許文献１】実用新案登録第３１３４３５６号公報
【考案の開示】
【考案が解決しようとする課題】
【０００３】
しかしながら、定規の目盛と分度器の目盛がつながっているために定規の目盛は分度器までの限られた短いものしか測れないという課題がある。
【課題を解決するための手段】
【０００４】
本考案は、クリアファイル，ブックカバー，ノートカバー，手帳など文具の１乃至４辺の全長にメジャー目盛を設けたので、ファイルほか文具の大きさから文具を越える大きさの長い物まで長さを測定し得て、かかる課題を解消したのである。
【考案の効果】
【０００５】
本考案はクリアファイル，ブックカバー，ノートカバー，手帳など文具の１乃至４辺の全長にメジャー目盛を付したので、どの辺でも物の長さを測定することができるという効果を生ずる。
【０００６】
４辺にメジャー目盛を付した定規付き文具の四隅の小孔を軸にして回動することで、文具より大きい物まで、その長さを測定することができるという効果を生ずる。
【０００７】
メジャー目盛をクリアファイルの背面に設けることで、ファイル表面の文字、図柄を邪魔することがなく、また挟み入れ書類によってメジャー目盛を隠すことができるという効果を生ずる。
【考案を実施するための最良の形態】
【０００８】
本考案は、クリアファイルの１乃至４辺の全長にメジャー目盛を付して書類等の挟み入れと保護のほか、物の長さを測れるようにしたことを特徴とする定規付きのクリアファイルにある。
【実施例１】
【０００９】
図１は本考案の定規付き文具の第１実施例であって、クリアファイル１の表側１ａの４辺にメジャー目盛２を付したものである。縦または横のメジャー目盛２を用いることで、物の縦長，横長を同時に測定することができる。図１（ａ）と（ｂ）は目盛数字の向きが異なるほかは同じである。なお、図示してないが、長短２辺にｃｍ目盛、残り２辺にｉｎｃｈ目盛を付し、あるいは表側と裏側で目盛の種類をかえて異なる単位の長さを測れるようにすることもできる。
【実施例２】
【００１０】
図２乃至図３は第２実施例であって、メジャー目盛２をクリアファイル１の裏側１ｂの内面または外面の４辺に付して、書類Ｓを挟み入れするとメジャー目盛２が書類によって隠れるようにしたのである。図３に示すようにメジャー目盛２を少し内側に寄せて設けることでクリアファイル１よりやや小さな書類Ｓの挟み入れにて完全に目盛２が隠れて表側１ａの印刷面Ｐだけが見えるようにすることもできる。
【実施例３】
【００１１】
図４乃至図５は第３実施例であって、４辺にメジャー目盛２を付した縦長四角形のクリアファイル１の四隅に小孔３を設けて、図４（ｂ）に示すように１つの小孔３をフックＦに掛け吊り可能とするほか、図５に示すように小孔３にペン先Ｊなどを入れ立ててクリアファイル１を小孔３を軸にして回動することで、クリアファイル１の大きさ以上の物の長さを印などを付けて当て直す手間なくしてほぼ正確に測定することができるようにしたのである。
【実施例４】
【００１２】
図６は第４実施例であって、（ａ）はブックカバー，ノートカバー４の表面の１乃至４辺にメジャー目盛２を付した例を示し、（ｂ）はシステム手帳５内に取外し自在とする綴じファイル５ａの４辺にメジャー目盛２と四隅に小孔３を設けた例を示すもので、第１乃至第３実施例と同じ構成と作用をさせることができる。
【産業上の利用可能性】
【００１３】
本考案は、物の長さを便利に測ることのできる定規付き文具として広く利用することができるものである。
【図面の簡単な説明】
【００１４】
【図１】（ａ）（ｂ）は第１実施例のクリアファイルを示す正面図
【図２】同、クリアファイルの裏側にメジャー目盛を付した例を示すもので、（ａ）は成形前の展開図、（ｂ）はファイル内に書類を入れつつある状態の正面図
【図３】（ａ）（ｂ）は同、開口側２辺のメジャー目盛を少し内側に寄せて設けた例を示す図
【図４】クリアファイルの四隅に小孔を設けた例を示すもので（ａ）はその正面図、（ｂ）は小孔を用いてフック掛け吊りした状態を示す斜視図
【図５】同、クリアファイルを小孔を軸にして回動してクリアファイルの１辺長さ以上の長さを測る使用例を示す説明図
【図６】（ａ）はブックカバーまたはノートカバーにメジャー目盛を付した実施例の正面図、（ｂ）はシステム手帳の綴じファイルにメジャー目盛と回動測定用の小孔を設けた実施例を示す斜視図
【符号の説明】
【００１５】
１はクリアファイル
１ａはクリアファイルの表側
１ｂはクリアファイルの裏側
２はメジャー目盛
３は小孔
４はブックカバー，ノートカバー
５はシステム手帳
５ａは綴じファイル
Ｓは書類
Ｐは印刷面
Ｆはフック
Ｊはペン先等の入れ立て軸
【図１】
0003147594.tif 000003
【図２】
0003147594.tif 000004
【図３】
0003147594.tif 000005
【図４】
0003147594.tif 000006
【図５】
0003147594.tif 000007
【図６】
0003147594.tif 000008
(57)【要約】      （修正有）【課題】予防接種等の止血テープを使用する場面において、視覚的に注射針の恐怖を和らげることができる絵柄付止血シートを提供する。【解決手段】片面に粘着剤層を備えた基布４の前記粘着剤層側の面の中央部にガーゼ５を設けることにより構成された止血テープ３を、離型シート２上に複数配置することにより構成された止血シートであって、前記基布の前記ガーゼと反対側の位置に絵柄６を設け、前記絵柄を止血シート１において少なくとも２種類以上設けて、前記止血シートを構成する。【選択図】図１
0003147966.tif 000002
【実用新案登録請求の範囲】
【請求項１】
片面に粘着剤層を備えた基布の前記粘着剤層側の面の中央部にガーゼを設けることにより構成された止血テープを、離型シート上に複数配置することにより構成された止血シートであって、前記基布の前記ガーゼと反対側の位置に絵柄を設け、前記絵柄を１の前記止血シートにおいて少なくとも２種類以上設けたことを特徴とする止血シート。
【考案の詳細な説明】
【技術分野】
【０００１】
本考案は、注射、点滴及び献血等において使用される止血テープを構成要素とする止血シートに関する。
【背景技術】
【０００２】
従来、予防接種や献血等を行う場合に、複数の人を１つの場所に集めて連続して行うようにしている。
このような場合に、予防接種の対象者が、特に、子供である場合には、先に予防接種を受けている者の状態を見ることで注射器に対する恐怖心が高まり、泣き叫んだり予防接種を拒否したりして、円滑に予防接種を行えないという問題があった。
また、予防接種等の注射後、通常、白色の粘着テープの略中央部にガーゼを設け止血テープ（例えば、特許文献１及び２）を注射した部位に貼着して止血を行うようにしているが、この止血テープに血液が滲むために、子供の恐怖心を更に増加させてしまうという問題があった。
これに対して、止血テープに絵柄を設けることにより子供の注意を引くことが考えられるが、現時点では行われていない。
一方、貼着剤や絆創膏等の分野においては、例えば、特許文献３にはカラープリントを設けた貼着剤や、特許文献４には図柄や絵柄が貼着剤の基布に設けられたものが提案されている。
しかしながら、特許文献３に開示されたものでは、同一絵柄を複数設けているだけであって、子供の興味が削がれてしまい十分な効果が得られず、特許文献４に開示されたものでは、１つの貼着剤に１つの絵柄が設けられているだけで、同様に十分な効果が得られないという問題があった。
【０００３】
【特許文献１】特開平５−２４５１７３号公報
【特許文献２】特開２００５−２７９０７４号公報
【特許文献３】実開昭５１−１４８４６４号公報
【特許文献４】実開昭５９−７１６２２号公報
【考案の開示】
【考案が解決しようとする課題】
【０００４】
そこで、本考案の目的は、予防接種等の止血テープを使用する場面において、視覚的に注射針の恐怖を和らげることを目的とする。
【課題を解決するための手段】
【０００５】
上記課題を解決するために、本考案者は、止血テープの血が滲むことになるガーゼに対応する部分に絵柄を設けるとともに、これを、切り離しできるようにシート状に形成し、１枚のシートに複数の絵柄が含まれるようにすれば、注射に対する恐怖心を抑えることができるという知見に基づき、下記の考案をした。
即ち、本考案の止血シートは、請求項１に記載の通り、片面に粘着剤層を備えた基布の前記粘着剤層側の面の中央部にガーゼを設けることにより構成された止血テープを、離型シート上に複数配置することにより構成された止血シートであって、前記基布の前記ガーゼと反対側の位置に絵柄を設け、前記絵柄を１の前記止血シートにおいて少なくとも２種類以上設けたことを特徴とする。
【考案の効果】
【０００６】
本考案によれば、異なる絵柄の止血テープが複数配置された止血シートを注射前に見ることで、子供が、どの止血テープを自分に貼ってもらえるであろう等の期待感や、異なる絵柄が複数配置された止血シート全体から、注射に対する恐怖心を低減して円滑に予防接種等を行うことができる。
【考案を実施するための最良の形態】
【０００７】
次に、本考案の一実施の形態について図面を用いて説明する。
図１は、本実施の形態の止血シート１の正面図であり、離型シート２上に横２列・縦５行で方形状の止血テープ３が剥離可能に設けられている。
止血テープ３は、片面に粘着剤層（図示せず。）を備えた方形状の基布４と、前記粘着剤層を備えた粘着面のほぼ中央部に設けられた方形状のガーゼ５とを備え、ガーゼ５と反対側となる面には、絵柄６が設けられている。
また、各止血テープ３は、離型シート２の両端から所定の間隔（例えば、５〜１０ｍｍ程度）をおいた位置から各列間を区切るようにして設けられた切り込み７と、列方向に所定の間隔（０．５ｍｍ〜２ｍｍ程度）８を存して各止血テープ３を設けることにより、各止血テープ３が個別に剥離可能となっている。
図示したように、各止血テープ３には、それぞれ、キャラクター、図形又は写真等の絵柄６が設けられており、各止血シート１には、少なくとも２種類以上の絵柄６が設けられるようにしている。
これにより、止血シート１全体からすれば、異なる絵柄６が２種類以上存在することになり、止血テープ３が貼着される者にとっての期待感を増すことができる。
また、通常、止血シート１自体は、複数枚をセットにして販売されるものであるため、各セットにおいても、図２に示すように、異なる絵柄の配置された止血シート１，１’を組み合わせたセットとすることにより、箱等の包装容器から取り出された場合にも、複数の種類の止血シート１，１’が目に入ることになり、上記期待感を更に増すことができるためより好ましい。
【０００８】
上記止血テープ１自体は、公知のものを使用することができるが、本考案の目的からすれば、基布４は白色乃至は透明とし、ガーゼ５は白色とすることが好ましい。絵柄６をガーゼ５の反対側の面に設けて血液の滲みを見えにくくするのに効果的だからである。尚、止血テープ１の形状についても特に制限するものではなく、矩形状や円形状等とすることもできる。
また、止血シート１から各止血テープ３を切り離し自在とする構成は、上記の実施の形態に制限されるものではなく、各止血テープ３間にミシン目を設ける等しても良い。また、止血シート１に含まれる止血テープの配置や数についても、上記実施の形態により制限されるものでなく、任意に設定することができる。
更に、各止血テープ３に設けられる絵柄６毎に色を異ならせたり、或いは、絵柄６自体をフルカラーで印刷してもよい。
【図面の簡単な説明】
【０００９】
【図１】本考案の一実施の形態の止血シートの正面図
【図２】同実施の形態の止血シートの組み合わせの説明図
【符号の説明】
【００１０】
１，１’  止血シート
２  離型シート
３  止血テープ
４  基布
５  ガーゼ
６  絵柄
７  切り込み
８  間隔
【図１】
0003147966.tif 000003
【図２】
0003147966.tif 000004
(57)【要約】      （修正有）【課題】鉛筆キャップとしての機能を果たしながら、さらに勉学に集中させ活力と意欲の向上に役立たせる鉛筆キャップを提供する。【解決手段】丸いボール１の突起部２と、中央に鉛筆を通す穴３を設ける。ボール１の側面に「がんばるくん」、「合格」等の文字を記す。使用するときは、普段鉛筆の芯を保護するためにキャップとして使用し、必要に応じて、このボールを鉛筆から取り外し、手のひらでころころ廻したりして、手のひらや脳を刺激して気分転換を図り、勉学に集中させ活力と意欲の向上に役立てる。【選択図】図１
0003147932.tif 000002
【実用新案登録請求の範囲】
【請求項１】
丸いボールの６方面に均等に突起物を設け、中央に鉛筆を通す穴を設け、文字を表示したことを特徴とする鉛筆キャップ。
【考案の詳細な説明】
【技術分野】
【０００１】  本考案は、丸いボールの６方面に均等に突起部を設け、中央に鉛筆を通す穴を開け、側面に「がんばるくん」、「合格」等の文字を記し、このボールを手のひらや、脳を刺激し、勉学に集中力と活力を高め意欲の増進を図ることを目的とした鉛筆キャップに関するものである。
【背景の技術】
【０００２】  従来、鉛筆キャップは、単に鉛筆の芯の保護および飾り物等で利用されていた。
たとえば、鉛筆による筆記時の、筆記具の持ち替えの煩雑さを解消し、より実務に適応可能な筆記具の開発を課題としている（特許文献１参照）。
鉛筆キャップと拡大鏡の機能を同時に使用できように鉛筆キャップの頭部に拡大鏡を取り付けたものである（特許文献２参照）。
厚みのあるポケットや腕やバッグなどに付けられて携帯に便利な、また、机の上などにも置くことのできる文具ホルダーがある（特許文献３参照）。
【特許文献１】  登録実用新案第３０８３６６１号
【特許文献２】  実用新案公開平５−９５７９０号
【特許文献３】  特許公開平８−１５６４８６号
【考案の開示】
【考案が解決しようとする課題】
【０００３】  そのために次のような問題点があった。
鉛筆キャップとしての機能は果たしても、これをさらに活用し、勉学に集中させ意欲の向上等を図る効果がなかった。
本考案は、以上の問題点を解決するために、なされたものである。
【課題を解決するための手段】
【０００４】  丸いボールの６方面に均等に突起部を設け、中央に鉛筆を通す穴を設け、側面に「がんばるくん」、「合格」等の文字を記したことを特徴とする集中力アップ鉛筆キャップである。
【考案の効果】
【０００５】  本発明を勉学中やまた学習になまけ心が出た時等に手のひらでころころ廻しながら、突起物により手のひらや脳を刺激することができる。
本発明をキュッとにぎり締めることにより、集中力と活力を高め勉学に意欲の増進を図ることができる。
また「がんばるくん」、「合格」等のネーミングを見ることにより、さらにがんばる気持ちを高揚させ、受験生には、合格を信じ勉学に励み、努力向上のために役立つ。
験担ぎ縁起物グッズとしても大変に良く、鉛筆キャップとしての機能と指圧をかねた集中力アップ鉛筆キャップである。
【考案を実施するための最良の形態】
【０００６】  以下、本考案の実施の形態を説明する。
（イ）丸いボール（１）の突起部（２）と、中央に鉛筆を通す穴（３）を設ける。
（ロ）ボール（１）の側面に「がんばるくん」、「合格」等の文字を記す。
本考案は、以上のような構造である。
本考案を使用するときは、普段鉛筆の芯を保護するためにキャップとして使用し、必要に応じて、このボールを鉛筆から取り外し、手のひらでころころ廻したりして、手のひらや脳を刺激して気分転換を図り、勉学に集中させ活力と意欲の向上に役立てるものである。
【図面の簡単な説明】
【０００７】
【図１】  本考案の斜視図である。
【図２】  本考案の使用状態を示した説明図である。
【符号の説明】
【０００８】１  ボール
２  突起部
３  鉛筆を通す穴
【図１】
0003147932.tif 000003
【図２】
0003147932.tif 000004
(57)【要約】      （修正有）【課題】防湿剤、防虫剤、防カビ剤を一体化した衣料保護剤入り容器を提供する。【解決手段】防湿剤、防虫剤、防カビ剤の三つの衣料保護剤を一体化したことを特徴とする衣料保護剤入り容器であり、経済的にも管理の時間的労力負担を軽減するものである。防湿部分については吸湿溶液を適宜廃棄可能にする排水口を設け、防虫、防カビの効力期間まで使用可能としている。又、付属のハンガーを利用することにより吊り下げ使用も可能にしている。【選択図】図１
0003147931.tif 000002
【実用新案登録請求の範囲】
【請求項１】
防湿剤、防虫剤、防カビ剤を一体化したことを特徴とする衣料用保護剤入り容器。
【請求項２】
防湿剤によって吸収した容液の排水口を設けることを特徴とする請求項１記載の衣料用保護剤入り容器。
【考案の詳細な説明】
【技術分野】
【０００１】本考案は、防湿剤（塩化カルシウム）、防虫剤（蒸散性ビレスロイド）、防カビ剤（チアベンダゾ−ル）を一体化し吸湿部分については、吸湿溶液を適宣廃棄可能にしたものである。
【背景技術】
【０００２】現在店舗では、防湿剤、防虫剤、防カビ剤を個々に販売している。
【考案の開示】
【考案が解決しようとする課題】防湿剤、防虫剤、防カビ剤を別個に設置することは経済的負担が大きく管理の時間的労働負担が大きい。【０００３】１つの容器で防湿剤、防虫剤、防カビ剤を一体化することにより経済的負担、管理の時間的労働負担を軽減し前述の欠点を解決しようとするものである。
【課題を解決するための手段】
【０００４】本考案は、防虫剤と防カビ剤については約６ヵ月程度の効力を有するものとするが、吸湿剤については衣料収納量の湿気が多い場合には防虫剤、防カビ剤の効力期間に吸湿容器のタンクが満タンになる可能性があるので、吸湿剤を６ヵ月以上の余裕をもった量とし、吸湿容器タンクは溶液排水口を設け湿気の多い所でも防虫、防カビの効力期間まで使用可能とすることにより問題点を解決している。
【考案の効果】
【０００５】１つの容器で防湿、防虫、防カビを行うので個々に設置する手間が省け、取替え時期が一致することで入れ忘れ等がなく衣料を安全に保管できるだけでなく個々に購入する経済的負担が軽減され衣料保管管理の時間的労働負担も軽減されるとともに廃棄する容器、包装材等のゴミの量を減らすことが期待できる。
【考案を実施するための最良の形態】
【０００６】容器の形態が直方体であるので、クロ−ゼットの床、洋服タンスの床や引き出し、押入れ等の隅に設置することができる。また、取り外し可能な吊り下げ用フックで洋服タンスの上部に掛けて使用することもできる。
【実施例】
【０００７】以下添付図面に従って一つの実施例を説明する。構造体はポリ塩化ビニ−ル素材にて一体形式された本体で、吸湿部は透湿膜を、防虫剤、防カビ剤の蒸散部は透過性和紙を用いる。透湿部は網状の底で仕切られ、上部には吸湿剤、下部には吸湿溶液貯水タンクとなっている。タンク下部の溶液の貯水状況によって廃棄できるようネジ式蓋の排水口を設けてある。付属品として吊り下げ用ハンガ−をハンガ−用ボタン挿入穴に本体のハンガ−ボタンを挿入し吊り下げても使用することができる。【０００８】衣料の収納場所により下記サイズを用いる。
0003147931.tif 000003
【図面の簡単な説明】
【０００９】
【図１】「一実施形態を示した平面図である。」
【図２】「一実施形態を示した正面図である。」
【図３】「一実施形態を示した側面図である。」
【図４】「付属品の吊り下げ用ハンガ−の斜視図である。」  本考案の防湿、防虫、防カビの一体型衣料保護剤入り容器の一つの実施例を示す図である。脚部中央の破線部は吸湿溶液を適宜廃棄するための本体と同素材の排水口でありネジ式の蓋を設けてある。
【図１】
0003147931.tif 000004
【図２】
0003147931.tif 000005
【図３】
0003147931.tif 000006
【図４】
0003147931.tif 000007
(57)【要約】      （修正有）【課題】誰でも簡単に取り付け取り外しが出来、床傷を防止し使用時に床との摩擦で発生し易いガタ付音を低減し、しかも簡単に外れない抜け防止付椅子脚カバーを提供する。【解決手段】家具用品等の椅子Ｓの脚部Ｓａに嵌挿して使用する椅子脚カバー５０であって、毛糸等を使用して編みフェルト状に縮絨加工した編み生地の片面に凸凹になるよう規則性のある柄、模様でプリント発泡性の抑止部剤を溶着し、該椅子脚大に適合する様袋状に裁断縫製加工したことを特徴とする床キズ防止及び摩擦音低減機能付椅子脚カバー５０である。【選択図】図１
0003147956.tif 000002
【実用新案登録請求の範囲】
【請求項１】
家具用品等の椅子の脚部に嵌挿して使用する椅子カバーにおいて、毛糸等を使用して編みフェルト状に縮絨加工した編み生地に凸凹になるよう規則性のある柄、模様でプリント発泡性の抑止部剤を溶着した面を袋体の裏面に形成し、該椅子脚大に適合する様袋状に裁断縫製加工したことを特徴とする床キズ防止及び摩擦音低減機能付椅子脚カバー。
【請求項２】
家具用品等の椅子の脚部に嵌挿して使用する椅子カバーにおいて、毛糸等を使用して編みフェルト状に縮絨加工した編み生地に凸凹になるよう規則性のある柄、模様で塩化ビニール等の抑止部剤を溶着した面を袋体の裏面に形成し、該椅子脚大に適合する様袋状に裁断縫製加工したことを特徴とする床キズ防止及び摩擦音低減機能付椅子脚カバー。
【考案の詳細な説明】
【技術分野】
【０００１】
本考案は家具用品等の椅子の脚部に嵌挿してフローリング加工した床等の損傷を防止及び使用時に摩擦で発生するガタ付音を低減する機能を持った椅子脚カバーに関するものである。
【背景技術】
【０００２】
従来の椅子カバーは形状、材質、デザイン等多種多様であるが、その中でも店頭でよく見かけるのは全体がゴムで作られたものや布、毛糸等で作られたものが多いが、全体がゴムで作られたものは使用時に簡単に外れにくくガタ付音も少なく、布や毛糸等で作られたものは誰でも簡単に取り付け取り外しが出来ると云う利点があった。
【０００３】
しかしその反面全体がゴムで作られたものは床との接地面が滑りにくく扱いが困難であり、布や毛糸等で作られたものは床との接地面は滑りやすく扱いは容易であるが椅子脚との接地面も滑りやすいため簡単に抜け易いと云う欠点があった。
【０００４】
また、近年、毛糸等で作ったカバーの内面にゴム等を点溶着したものも時々見かけるが、簡単に抜け外れないが全体に薄いため椅子を動かしたときのガタ付音が大き過ぎ、耐久性も短いと云う欠点があった。
【特許文献１】登録実用新案第３０９０４５９号
【考案の開示】
【考案が解決しようとする課題】
【０００５】
本考案は、コストが安く誰でも簡単に取り付け取り外しが出来、しかも床傷の防止及び使用時には簡単に外れず椅子を動かしたときに発生するガタ付音も低減出来ると云う、抜け防止付椅子カバーを提供することを目的とする。
【課題を解決するための手段】
【０００６】
その手段として毛糸等を使用して編んだ編み生地（１）をフェルト状に縮絨加工し、その片面にプリント発泡性の抑止部剤（２）を凸凹になるよう規則性のある柄、模様で溶着した後、該椅子脚大に適合する様裁断縫製加工したものである。
【考案の効果】
【０００７】
上述の様に椅子脚カバー（５０）は、フェルト状に加工した編み生地（１）に凸凹になるようプリント発泡性の抑止部材（２）を溶着してあるため全体に肉厚感があり床傷の防止、摩擦音の低減及び耐久性はもちろん、袋状カバー（５０）の裏面に形成された抑止部材（２）が椅子脚（Ｓａ）と接することにより抜け防止効果にも優れている。
【考案を実施するための最良の形態】
【０００８】
この考案の床傷防止及び摩擦音低減機能付椅子脚カバーは、毛糸等を使用して編みフェルト状に縮絨加工した編み生地の片面に凸凹になるよう規則性のある柄、模様でプリント発泡性の抑止部剤を溶着し、該椅子脚大に適合する様袋状に裁断縫製加工後、プリント発泡性の抑止部材を溶着した面を袋の内側にして椅子脚とプリント発泡性の抑止部材が密着する様、且つ袋状の上端部を外側に幾重かに折り返し嵌挿して使用する。
【０００９】
最良の形態で使用するにために作り方の一実施例を図２及び図３により順を追って説明する。
【００１０】
毛糸等を使用して適度の大きさで編んだ編み生地（１）をフェルト状に縮絨加工し、その片面にプリント発泡性の抑止部材（２）を凸凹になるよう規則性のある柄、模様で溶着した生地（１０）を作る（図２Ａ，Ｂ）を参照。
【００１１】
次いで生地（１０）を適用しようとする椅子の脚大に適合する様裁断した生地（２０）を作る（図２Ｃ）を参照。
【００１２】
裁断した生地（２０）を上下の中心（Ｃａ−Ｃａ）で２つ折にしてプリント発泡性の抑止部材（２）を溶着した面が外側になる様、袋状（３０）に縫製加工（３）する（図２Ｄ，Ｅ）を参照。
【００１３】
次いでプリント発泡性の抑止部材（２）を溶着した面が袋の内側になる様、裏返しにする（図２Ｆ，Ｇ）を参照。
【００１４】
次いで（図２）で作った袋（４０）の上端を外側に幾重かに折り返しす（図３Ｈ，Ｉ，Ｊ）を参照。
【００１５】
椅子脚（Ｓａ）とプリント発泡性の抑止部材（２）が密着する様、嵌挿して使用する（図１）を参照。
【００１６】
図１は本考案の椅子脚カバーの使用例であり図３Ｈの椅子脚カバー（５０）をそれぞれの椅子の脚部に嵌挿して使用した状態を示している。
【００１７】
本考案の椅子脚カバー（５０）の内面に溶着する抑止部材（２）はプリント発泡性に代えて塩化ビニール、ゴム等を使用しても良く、図２Ｄの袋状にしてから溶着しても良い。
【図面の簡単な説明】
【００１８】
【図１】本考案の使用状態図を示した斜視図。
【図２】本考案の作り方の一実施例を示した図。      Ａ  片面に抑止部材を溶着した生地の正面図。      Ｂ  片面に抑止部材を溶着した生地の側面図。      Ｃ  抑止部材を溶着した生地を該椅子脚大に適合する様裁断した正面図。      Ｄ  抑止部材を溶着した面が外側になる様袋状に縫製加工した正面図。      Ｅ  抑止部材を溶着した面が外側になる様袋状に縫製加工した断面図。      Ｆ  袋状に縫製加工したものを抑止部材を溶着した面が内側になるように裏返した正面図。      Ｇ  袋状に縫製加工したものを抑止部材を溶着した面が内側になるように裏返した断面図。
【図３】本考案を最良の形態で使用するための出来上がり図。      Ｈ  抑止部材を溶着した面が内側になるように裏返した袋状の上端部を外側に幾重かに折り返した正面図。      Ｉ  抑止部材を溶着した面が内側になるように裏返した袋状の上端部を外側に幾重かに折り返し左右の中心で裁断した断面図。      Ｊ  抑止部材を溶着した面が内側になるように裏返した袋状の上端部を外側に幾重かに折り返した側面図。
【符号の説明】
【００１９】
Ｓ      椅子本体
Ｓａ    椅子脚
１      編み生地
２      プリント発泡性の抑止部材
３      縫製加工部
１０    抑止部材溶着生地
２０    裁断生地
３０    袋
４０    裏返し袋
５０    椅子脚カバー
【図１】
0003147956.tif 000003
【図２】
0003147956.tif 000004
【図３】
0003147956.tif 000005
(57)【要約】【課題】日曜日に続く月曜日が休日となる場合、その休日を前の週の日曜日の日に連続して表示することにより、３連休であることを明示すると共に、連休感をより一層享受することを可能にしたカレンダーを提供することにある。【解決手段】年間を通じて毎月の週始めが月曜日から始まり、月曜日から順次日曜日まで表示されたカレンダーにおいて、日曜日に続く月曜日が休日である場合、日曜日に連続して新たに月曜日を表示すると共に、前記休日となった日を、前記休日となった日の前日に連続して表示したことを特徴とするカレンダーである。【選択図】図１
0003147952.tif 000002
【実用新案登録請求の範囲】
【請求項１】
年間を通じて毎月の週始めが月曜日から始まり、月曜日から順次日曜日まで表示されたカレンダーにおいて、
日曜日に続く月曜日が休日である場合、日曜日に連続して新たに月曜日を表示すると共に、前記休日となった日を、前記休日となった日の前日に連続して表示したことを特徴とするカレンダー。
【考案の詳細な説明】
【技術分野】
【０００１】
本考案は、年間を通じて毎月の週始めが月曜日から始まる、月めくりカレンダーや、１２ケ月を一括表示するカレンダーに関する。
【背景技術】
【０００２】
従来、年間を通じて毎月の週始めが月曜日から始まる、１月毎又は２月毎に表示するカレンダーや、１２ケ月を一括表示するカレンダーは知られている。しかし、近年、祝日法の改正に伴って、日曜日に続く月曜日が祝祭日（以下、休日という）、いわゆるハッピーマンデーの月が増えている。しかし、年間を通じて毎月の週始めが月曜日から始まるカレンダーにおいては、休日である日曜日とこの日曜日に続く休日となる月曜日が次週の週始めに改行されて表示され、連続する休日が連続して表示されないため、連休の一体感を享受することができなかった。
【特許文献１】実用新案登録第３０９２０１３号
【考案の開示】
【考案が解決しようとする課題】
【０００３】
本発明の目的は、上記の問題点に鑑みて成されたものであり、日曜日に続く月曜日が休日となる場合、日曜日に連続して新たに月曜日を表示すると共に、休日となった日を、休日となった日の前日に連続して表示することにより、３連休であることを明示すると共に、連休感をより一層享受することを可能にしたカレンダーを提供することにある。
【課題を解決するための手段】
【０００４】
本考案は、上記の課題を解決するために、次のような手段を採用した。
第１の手段は、年間を通じて毎月の週始めが月曜日から始まり、月曜日から順次日曜日まで表示されたカレンダーにおいて、日曜日に続く月曜日が休日である場合、日曜日に連続して新たに月曜日を表示すると共に、前記休日となった日を、前記休日となった日の前日に連続して表示したことを特徴とするカレンダーである。
【考案の効果】
【０００５】
本考案によれば、休日となる土曜日、日曜日に続く休日となる新たな月曜日を表示すると共に、前記休日となった日を休日となった日の前日に連続して表示することにより、３連休がハッピーマンデーと共に一目瞭然に表示され、３連休であることが明示されると共に、連休感をより一層享受することを可能にしたカレンダーを実現することができる。
【考案を実施するための最良の形態】
【０００６】
本考案の実施形態を図１および図２を用いて説明する。
図１は、本考案の一実施形態に係る、例えば、２００９年（平成２１年）の１月のカレンダーを表示した図である。
同図に示すように、２００９年１月のカレンダーにおいて、１１日の日曜日に続く１２日の月曜日が「成人の日」となり休日である。このような場合、１１日の日曜日に続く１２日の新たな月曜日（ハッピーマンデー）を日曜日に続けて表示すると共に、１１日に連続して１２日を表示するものである。このように、年間を通じて毎月の週始めが月曜日から始まるカレンダーにおいて、日曜日に続く月曜日が休日である場合、日曜日に連続して新たな月曜日を表示すると共に、前記休日となった日を、前記休日となった日の前日に連続して表示するものである。カレンダーをこのように表示することにより、３連休がハッピーマンデーと共に一目瞭然に表示され、カレンダー上で連休感をより明確に享受することを可能にしたカレンダーを実現することができる。
【０００７】
図２は、本考案の他の実施形態に係る、例えば、２００９年（平成２１年）の５月のカレンダーを表示した図である。
同図に示すように、２００９年５月のカレンダーにおいて、３日の日曜日は「憲法記念日」であり、３日に続く４日の月曜日が「みどりの日」、４日に続く５日の火曜日が「こどもの日」、５日に続く６日の水曜日が「振替休日」となり休日が連続する。このような場合は、日曜日に連続して新たに月曜日（ハッピーマンデー）を表示すると共に、休日となった４日を、３日に連続して表示し、５日及び６日はそれぞれ既存の火曜日及び水曜日に表示する。カレンダーをこのように表示することにより、連休がハッピーマンデーと共に一目瞭然に表示され、カレンダー上で連休感をより明確に享受することを可能にしたカレンダーを実現することができる。
【０００８】
なお、本実施形態の考案に係るカレンダーは、通常一般的に行われているように、土曜日、日曜日、及び休日となった曜日を、他の曜日や平日と明確に区別できるように、曜日や日の文字色や字体等を変えて表示したり、表示領域の色を変えて表示することにより、本願考案の効果をより鮮明にすることができる。
【図面の簡単な説明】
【０００９】
【図１】本考案の一実施形態に係る、例えば、２００９年（平成２１年）の１月のカレンダーを表示した図である。
【図２】本考案の他の実施形態に係る、例えば、２００９年（平成２１年）の５月のカレンダーを表示した図である。
【図１】
0003147952.tif 000003
【図２】
0003147952.tif 000004
(57)【要約】【課題】熱帯魚水槽の清掃をする時に、熱帯魚を他の水槽等に移すことなく、熱帯魚の安全を確保しながら水槽内の隔離された場所に移動させ、水槽を清掃する用具を提供する。【解決手段】フレームに取り付けたプレート（以下一体型プレートと表示）を上面に上げると水を通すための網目が現れる。この状態で水槽の端より中央へフレームと一体型プレートを移動することによって、魚も中央から反対の水槽内へ移動する。ここでプレートを閉じ、クリップにより固定し、魚のいない一方を掃除する。同様の方法で一体型プレートを未清掃の端から清掃との境に移動し、魚を清掃後の一方へ移動させ、未清掃の水槽を清掃することが出来る。【選択図】図６
0003147917.tif 000002
【実用新案登録請求の範囲】
【請求項１】
熱帯魚水槽を部分的に清掃する用具として、水槽の側面から見て、水槽の内側に入るフレームと、フレームに取り付けた網、及びフレーム内側の左右の溝に差し込んだ上下に移動出来るプレート（以後一体型プレートと表示）から構成され、プレートを上げた時には網が現れ、水槽の端から清掃点まで一体型プレートを移動した時に、この網を通して水が流れると共に、全ての熱帯魚を清掃側と反対の水槽に移動させ、プレートを閉じることで網も隠れ、プレートとフレームとが一体の壁となり、清掃側と熱帯魚側とを完全に分離し、神経質な熱帯魚を安全な場所に保護しながら清掃出来ることを特徴とする熱帯魚水槽清掃用具。
【請求項２】
請求項１に記載したフレームの低部は、水槽の底にある砂や小砂利に対して差し込み易いように傾斜を持っていることを特徴とする。
【請求項３】
請求項１に記載した一体型プレートは、フレームを水槽の両側面に固定するためのクリップを持つ。
【請求項４】
請求項１に記載したフレームは両内側のみでなく一方の外側にも溝を持ち、第２の補助プレートを差し込むことによって、水槽の側面幅に一体型プレートの幅を調節することが出来る。
【考案の詳細な説明】
【技術分野】
【０００１】  本考案は熱帯魚水槽の清掃に際して、熱帯魚を他の器に移すことなく、しかも熱帯魚を安全な場所に保護しながら清掃出来る用具を提供する。
【背景技術】
【０００２】  従来の熱帯魚水槽の清掃は、熱帯魚を予め他の水槽等に移すか、又は熱帯魚を入れたままで清掃を行っていた。従って、他の水槽等に移す時に網で熱帯魚を傷つけたり、又は敏感な熱帯魚を音や、清掃用具で脅かすことで、その後食欲不振や、時には死に至らしめることが多くあり、清掃のための工夫が必要であった。
【考案の開示】
【考案が解決しようとする課題】
【０００３】  この問題を解決するに当たり、水槽内で清掃したい位置まで魚を安全に移動させる特別に加工されたプレート（後述）を使用することによって、水槽内の清掃する場所に対して全く隔離された水槽内の別の場所に魚を保護することが出来る。
【課題を解決するための手段】
【０００４】  網付きフレームに差し込んだプレート（以下一体型プレートと表示）を上げると水を通すための網目が現れる。この状態で水槽の端より中央へ一体型プレートを移動することで、魚も移動する。ここでプレートを閉じ、クリップで固定し、魚のいない一方を掃除する。同様の方法で一体型プレートを未清掃の端から清掃との境に移動し、魚を清掃後の一方へ移動させ、残りの水槽を清掃することが出来る。
【考案の効果】
【０００５】  上記の特別に加工されたプレートの使用により、水槽は完全に二つに分離されることになり、従って熱帯魚も完全に隔離される。即ち、２つに分離された水槽の一方を清掃することになり、清掃中、他方にいる熱帯魚を完全に保護出来る効果がある。
【考案を実施するための最良の形態】
【０００６】  以下、考案の実施形態に付き、図面と共に説明する。
図１に示すプレート１を網４を張ったフレーム３の両溝にはめ込む。プレート１を上に動かした場合は網目が現れ、下げると網目が隠れる構造を持つ。図２はフレーム３とプレート１とが一体となった一体型プレートの図を示す。【０００７】  又、フレーム３の一方には外側にも溝があり、補助プレート２を使用し、必要に応じて水槽の幅に合わせることが出来る。【０００８】  先ず始めに、清掃したい部分までの水草及び小岩等の障害物を除去する。図６は、熱帯魚を隔離する一体型プレートの最初の位置を示す。プレート１を上に動かし網目より水を通すことで水中での移動を容易にする。図７は一体型プレートを清掃位置まで移動し、プレート１を閉じた状態を示す。この移動により、全ての熱帯魚を清掃側と反対の水槽に安全に移すことができる。清掃位置が決定したら、一体型プレートを水槽の底面まで押し下げ、両側と水槽をクリップ５でとめる。この状態で熱帯魚のいない水槽の一方を清掃し、清掃後、取り除いた水草、小岩等を元に戻す。同様に未清掃部分の水草及び小岩等の障害物を取り除いた後、一体型プレートを取り外す。清掃していない端より、上記と同様の方法で一体型プレートを清掃した境で固定し未清掃部分の清掃を行った後、取り除いた水草及び小岩等を元に戻す。
以上説明した通り、本考案は熱帯魚を傷付けたり、衝撃を与えたりすること無しに水槽内を清掃出来る用具を提供する。
【図面の簡単な説明】
【０００９】
【図１】清掃用部品
【図２】フレームとプレートとの一体図
【図３】図２の上面図
【図４】図２の左側面図
【図５】図２の右側面図
【図６】一体型プレートの移動前の位置
【図７】清掃位置
【符号の説明】
【００１０】１  プレート（３のフレームに合体）
２  水槽幅調整補助プレート（３の外側の溝に差し込む）
３  フレーム
４  フレームに取り付けられた網
５  一体型プレート固定用クリップ
【図１】
0003147917.tif 000003
【図２】
0003147917.tif 000004
【図３】
0003147917.tif 000005
【図４】
0003147917.tif 000006
【図５】
0003147917.tif 000007
【図６】
0003147917.tif 000008
【図７】
0003147917.tif 000009
(57)【要約】      （修正有）【課題】髪型のデザインが多様化する中で、ラセン形状、スパイラル形状等の毛髪巻きが容易に、よりきれいに、くっきりしたものに仕上げることのできるヘアーアイロンを提供する。【解決手段】従来のものより、アイロン棒部分２１を長くすることにより、４〜５巻きができ、髪が重なることがなく、十分な熱が伝わるため、きれいなカーリングができる。一度に髪巻きを多くできることで、バラエティに富んだ形状のラセン、スパイラル等の形状の対応が容易にできる。また、重複巻きでの巻きズレがなく、髪セット時間も短くなった。【選択図】図２
0003147911.tif 000002
【実用新案登録請求の範囲】
【請求項１】
アイロン棒部分の長さを１５ｃｍから２０ｃｍの範囲と長くすることを特徴とするヘアーアイロン
【考案の詳細な説明】
【産業上の利用分野】
【００１】本考案は、毛髪にカール付けするためのヘアーアイロンに関するものである。
【背景技術】
【００２】従来より、図−１に示すような、アイロン棒１１に通称グローブと称する毛髪掴み板１２を備えて、カール付けを行うカーリングアイロンが出回っている。【００３】従来品はアイロン棒部分が１３ｃｍ程度と短いため、髪型のデザインが多様化する中で、ラセン形状、スパイラル形状等で種々に変化する毛髪巻き形状に対して、満足な対応ができなかったり、髪型セットに時間がかかり過ぎる等の欠点があった。
【考案が解決しょうとする課題】
【００４】本考案は、このような従来品の実状に鑑みてなされたもので、一度に髪を巻き付ける数を増やすことで、バラェティに富んだ形状のラセン、スパイラル等の毛髪巻きが容易にでき、重複巻きでの巻きズレがなく、髪セットの時間も少なくできるヘアーアイロンを提供するものである。
【考案が解決しようとする手段】
【００５】本考案の手段は、アイロン棒部分を従来品より長くすることである。具体的にはアイロン棒部分を１５〜２０ｃｍの範囲に設定することである。従来品では、２〜３巻きで、それ以上になると、髪が重なり合うため、十分に熱が伝わらなかった。
【００６】アイロン棒部分を従来品より長くすることで、４〜５巻き程度、髪が重なることなく、しっかりと十分な熱が伝わるため、よりきれいな、くっきりした、くるくる巻きのカーリングができるようになった。
【実施例】
【００７】図１は従来品を示し、図２は、本考案に係る実施例を示したものである。図１のアイロン棒１１の部分は１３．５ｃｍの長さであるが、図２のアイロン棒２１部分は１８ｃｍと４．５ｃｍ長くなっている。このため、一度に毛髪を巻きつける数が増え、毛髪に熱を十分伝えることができ、また、毛髪を挟んだまま引っ張っても毛髪はすべりにくく、確実にカーリングができる。
【考案の効果】
【００８】一度に髪巻きを多くできることで、バラェティに富んだ形状のラセン、スパイラル等の形状の対応が容易にできる。また、重複巻きでの巻きズレがなく、髪セット時間も短くなった。
【図面の簡単な説明】
【００９】
【図１】ヘアーアイロンの従来品を示す斜視図
【図２】本考案に係るヘアーアイロン−実施形態を示す斜視図
【符号の説明】
【０１０】１    従来品のヘアーアイロン
１１  アイロン棒部分
１２  毛髪掴み板
１３  握り部
１４  操作板
２    本考案のヘアーアイロン
２１  アイロン棒部分
２２  毛髪掴み板
２３  握り部
２４  操作板
【図１】
0003147911.tif 000003
【図２】
0003147911.tif 000004
(57)【要約】      （修正有）【課題】テレビ台やオーディオラック等の奥行きのある収納家具において、収納スペースの手前部分に、前方に水平回転する陳列棚を備えることで、物品収納スペースの有効利用と収納品の取り出しの利便性を図った家具を提供する。【解決手段】家具の中央部分の左右に、奥行き１５ｃｍ程度の薄い箱状の棚を、中央部分脇の縦の仕切板に蝶番で取り付ける。棚は蝶番を支点として家具の中央部分に向かって最大１８０度水平回転させて引き出すことを可能とする。回転棚の前面はガラス等の透明な板で塞ぎ、調度品等を陳列し鑑賞できるようにする。回転棚の裏手の部分は、奥行き３０ｃｍ程度の収納スペースとなり、アルバム、家電製品の取り扱い説明書、大型書籍等を収納できるようにする。【選択図】図１
0003147918.tif 000002
【実用新案登録請求の範囲】
【請求項１】
収納スペースの手前部分が、前方に水平に回転させて容易に引き出すことができる棚を備えた、テレビ台やオーディオラック等の家具。
【考案の詳細な説明】
【技術分野】
【０００１】  本考案は、テレビ台やオーディオラック等の奥行きのある収納家具の、物品収納スペースの有効利用と、収納取り出しの利便性、および商品価値の向上に関する。
【技術背景】
【０００２】  従来のテレビ台等では、収納スペースの前面は、薄い板状の開き扉が主流である。
【考案の開示】
【考案が解決しようとする課題】
【０００３】  これまでに市販されているテレビ台等の家具では、物品収納箇所は単に奥行き５０ｃｍ程もあるスペースとして提供されており、収納に利用できずに残るスペースが生じやすく、またその奥行きゆえに、物品の収納、取り出しに不便であることが多い。
【課題を解決するための手段】
【０００４】  本考案の家具においては、収納スペースのうち、手前部分を背板のある棚とし、棚の端を支点として水平に回転させて手前に引き出せる作りとする。
【考案の効果】
【０００５】  収納スペースの手前側を、引き出すことができる棚とすることにより、従来は単一のスペースとして利用されることが多かった奥行きのある収納スペースは手前部分と奥部分に分割され、有効に利用することが可能となる。
また、手前部分の棚は傾くことなくスムーズに開閉できるため、好みの調度品等の陳列に適している。
そして奥の収納部分は、手前の棚により見えなくなるため、当該家具を設置する部屋の美観を向上する効果が大きい。
【考案実施しようとするための最良の形態】
【０００６】  当該家具の中央部分は、録画・再生機器を格納する箇所、および記録媒体等を収納する引出しとすることが望ましい。
家具の中央部分の左右に、奥行き１５ｃｍ程度の薄い箱状の棚を、中央部分脇の縦の仕切板に蝶番で取り付ける。棚は蝶番を支点として家具の中央部分に向かって最大１８０度水平回転させて引き出すことが可能である。
回転棚の前面はガラス等の透明な板で塞ぎ、調度品等を陳列し鑑賞できるようにする。
回転棚の裏手の部分は、奥行き３０ｃｍ程度の収納スペースとなり、アルバム、家電製品の取り扱い説明書、大型書籍等を収納できるようにする。
【図面の簡単な説明】
【０００７】
【図１】  前面右の箱状の棚を開き、物品の収納例を示した立面図である。
【図２】  家具前面の箱状の棚の可動の様子を真上から示した平面図である。
【図１】
0003147918.tif 000003
【図２】
0003147918.tif 000004
(57)【要約】      （修正有）【課題】電解液の密度の上下差をなくして硫酸塩結晶の生成を抑制するため、電極板やセパレータ等の群の下端を電池の底部から少し離し、その両端に少し隙間を設けることで、電解液の流れをよくすることで寿命の延長が可能となった液式蓄電池を提供する。【解決手段】液式鉛蓄電池本体１は、主として、正電極板２、セパレータ３、正極接続体４、負極接続体５、負極端子６，電解液７及び隔壁８で構成され、電極板やセパレータなどの群の下部と両側に、少し隙間を設けた構造とする。【選択図】図１
0003147913.tif 000002
【実用新案登録請求の範囲】
【請求項１】
各セルの電極板やセパレータなどの群の下端を底部から少し離して、
その両側と液式蓄電池本体の側面との間に少し隙間を開けた事を特徴
とする液式蓄電池。
【請求項２】
各セルの電極板やセパレータなどの群の下端を底部から少し離して、
液式蓄電池の両側に少し隙間を開けて、電極板やセパレータなどの群
とほぼ同じ高さの仕切り板を設け、その内側に電極板やセパレータな
どの群を取り付けた事を特徴とする液式蓄電池。
【考案の詳細な説明】
【技術分野】
【０００１】
本考案は、従来の液式蓄電池に比べて、電流は少し小さくなるが、そ
の代わり電流の流れ続ける時間が長くなり、その重量も少し軽くなる物
である。また、充電や放電が円滑に出来て、発生する熱も循環して電
解液全体に行き渡り、電解液の密度差が生じにくく、硫酸鉛などの発生
を少なくする液式蓄電池に関するものである。
【背景技術】
【０００２】
液式蓄電池には、鉛蓄電池やリチウム蓄電池など各種の物があり、
各々一長一短があり、それぞれの用途に合うものが使用されている。
そして現在のところ、自動車に最も多く積まれているのが液式鉛蓄電池
である。
【０００３】
ただ、液式鉛蓄電池の本体に正電極板やセパレータや負電極板など
の群が一杯に詰め込まれているので、電解液密度の上下差により、電
極板の下部に硫酸鉛が生成されてしまう事が有るので、硫酸鉛の生成
防止の為の発明がなされている。
【特許文献１】特開2006-114314号公報
【考案の開示】
【考案が解決しようとする課題】
【０００４】
解決しようとする問題点は、電解液の密度の上下差を無くして白色結
晶の硫酸鉛の発生を抑制した液式蓄電池を提供すると言う事である。
【課題を解決するための手段】
【０００５】
本考案は、電極板やセパレータ等の群の下端を底部から少し離して、
その両側に少し隙間を設ける事で、電解液が自由に移動できる様にす
る事で、電解液の密度差を小さくして硫酸鉛などの発生が抑制される。
【考案の効果】
【０００６】
液式蓄電池の電極板やセパレータなどの群の下端を底から少し離し
て、その両側に少し隙間を設けると、電解液が移動しやすくなるので、
密度差が小さくなり、硫酸鉛などの発生が抑制されて、発生した熱も電
解液の移動と共に循環して、電解液全体に拡散して過熱する部分が少
なくなり、液式蓄電池の能力が十分に発揮されて寿命も延びる。
また、電極板やセパレータ等の群が全体として少し小さくなるので、電
流はほんの少し小さくはなるが、全体の重量はほんの少しだけ軽くなり、
電解液の量は少し多くなるので、電流の流れ続ける時間は少し増える。
【考案を実施するための最良の形態】
【０００７】
液式鉛蓄電池を例にとって説明すると、電極板やセパレータなどの群
の下端を底部から少し離して、その両側と液式鉛蓄電池本体との間に
少し隙間を開けておく。充電や放電の際に電解液の比重に差が生じて、
電解液が電極板とセパレータの隙間を下降したり上昇したりするのに
連れて、電解液が液式鉛蓄電池本体の底部と電極板やセパレータなど
の群の下端との隙間や、電極板とセパレータなどの群の上部を自由に
移動できる様にする為に、両側の隙間が大いにその効果を発揮する。
【実施例１】
【０００８】
図１は、本考案液式蓄電池の実施例１の一つのセルの断面図である。
この実施例では、液式鉛蓄電池で、電極板やセパレータなどの群の下
部と両側に少し隙間を設けた構造で、１は液式鉛蓄電池本体、２は正
極板、３はセパレータ、４は正極接続体、５は負極接続体、６は負極端
子、７は電解液であり、８の隔壁で各セルが独立して設けられている。
【０００９】
この様に構成したので、本考案の液式鉛蓄電池は、充放電の際の比
重の変化による電解液の移動が、下側及び両側の隙間のおかげで循
環して行われ、同時に発生する熱も循環して電解液全体に拡散するの
で、密度差による硫酸鉛の発生や部分的な過熱の不都合も生じない。
ただ、電極板やセパレータなどの群の面積が少し小さくなり、流れる電
流は少し少なくなるが、電解液が増えるので電流の流れ続ける時間も
少し増えて、全体の重量も軽くなるので好都合である。これらを総合す
ると、液式鉛蓄電池の能力を最大に発揮でき、不純物の生成や部分的
な過熱も無くなるのでサイクル寿命の延長に繋がる。
【産業上の利用可能性】
【００１０】
本考案の、液式鉛蓄電池は、充電や放電を円滑に行えて、密度差に
よる硫酸鉛の発生を抑制し、同時に発熱による部分過熱を減少させる。
硫酸鉛の生成を抑制する事で常に液式蓄電池の能力を十分に発揮し、
多少電流が減少しても、流れ続ける時間を延長させられるのでその欠
点を補う。電池全体の重量が少し軽くなるので電池式電気自動車に搭
載すると、走行距離の延長に繋がる。充電に際しても電解液が循環し
て充電を効率よく行え、充電時の発熱も電解液の循環とともに拡散する
ので部分的な過熱が抑制される。
【００１１】
そこで、本考案の液式蓄電池を電池式電気自動車に搭載すると、従
来の液式蓄電池を搭載した場合より重量が軽くなり、充電時間も短縮さ
れて硫酸鉛の発生も抑制されるので、走行距離が長くて短時間に充電
でき、且つ故障が少なくて長持ちのする電池式電気自動車が製造でき、
燃費もガソリン車に比べてかなり安価な二酸化炭素の排出が全く無い
地球に優しい電池式電気自動車が得られる。
【図面の簡単な説明】
【００１２】
【図１】本考案の液式蓄電池の実施例１の液式鉛蓄電池の一つの      セルの断面図である。(実施例１)
【図２】本考案の液式蓄電池の実施例２の液式鉛蓄電池の一つの      セルの断面図である。(実施例２)
【符号の説明】
【００１３】
１  液式鉛蓄電池本体
２  正極板
３  セパレータ
４  正極接続体
５  負極接続体
６  負極端子
７  電解液
８  隔壁
９  仕切り板
【図１】
0003147913.tif 000003
【図２】
0003147913.tif 000004
【手続補正書】
【提出日】平成20年11月18日(2008.11.18)
【手続補正１】
【補正対象書類名】実用新案登録請求の範囲
【補正対象項目名】全文
【補正方法】変更
【補正の内容】
【実用新案登録請求の範囲】
【請求項１】
各セルの電極板やセパレータの群の下端を液式蓄電池本体の底部
から少し離して、その両端を液式蓄電池本体の側面から少し離した事を
特徴とする液式蓄電池。
【請求項２】
各セルの電極板やセパレータの群の下端を液式蓄電池本体の底部
から少し離して、そのセパレータの両端の外側にセパレータと同じ高さ
の仕切り板を液式蓄電池本体の側面から少し離して取り付けた事を特
徴とする液式蓄電池。